(57)【要約】【課題】スノーノイズ表示時に画面から放射される電磁波によるＥＭＩを低減しつつ、ユーザの利便性を損なうことの無いテレビ受信機を提供する。【解決手段】受信したテレビ放送信号から映像信号を抽出して所定の画面に映像表示させるテレビ受信機において、マイコン１７は、画面に表示される映像にスノーノイズが含まれているか否かを検出し、スノーノイズを検出しない場合はそのまま映像表示を行わせ、スノーノイズを検出すると所定の半透明画像の表示を行ってスノーノイズを表示させつつ画面の輝度振幅を低減する。【選択図】図１
2008294555.tif 000002
【特許請求の範囲】
【請求項１】
受信したテレビ放送信号から映像信号を抽出して所定の画面に映像表示させるテレビ受信機において、
前記画面に表示される映像のスノーノイズを検出するスノーノイズ検出手段と、
前記スノーノイズ検出手段がスノーノイズを検出すると、所定の半透明画像の表示を行ってスノーノイズを表示させつつ画面の輝度振幅を低減する輝度振幅低減手段と、
を備えることを特徴とするテレビ受信機。
【請求項２】
前記スノーノイズ検出手段は、前記テレビ放送信号の入力が無い場合にスノーノイズを検出する請求項１に記載のテレビ受信機。
【請求項３】
前記スノーノイズ検出手段は、前記テレビ放送信号の電界強度が所定のしきい値よりも低い場合にスノーノイズを検出する請求項１または請求項２の何れか一項に記載のテレビ受信機。
【請求項４】
前記テレビ放送信号の受信強度に応じて利得調整する自動利得調整手段を備え、
前記スノーノイズ検出手段は、前記受信強度が所定のしきい値を下回るとスノーノイズであると判断する請求項１〜請求項３の何れか一項に記載のテレビ受信機。
【請求項５】
所定の画像を前記映像信号に重畳するオンスクリーンディスプレイ手段を備え、
前記輝度振幅低減手段は、前記オンスクリーンディスプレイ手段を制御して半透明の黒画像を前記映像信号に重畳させる請求項１〜請求項４の何れか一項に記載のテレビ受信機。
【請求項６】
スノーノイズ検出時用の設定値が記憶される第一レジスタと、スノーノイズ非検出時用の設定値が記憶される第二レジスタとを備え、
前記輝度振幅低減手段は、前記スノーノイズ検出手段がスノーノイズ検出すると前記第一レジスタから設定値を取得して該設定値に対応した輝度振幅の低減を実行すると共に、前記スノーノイズ検出手段がスノーノイズ非検出すると前記第二レジスタから設定値を取得して該設定値に対応した輝度振幅の低減を実行する請求項１〜請求項５の何れか一項に記載のテレビ受信機。
【請求項７】
前記テレビ受信機は、アンテナを介して入力された映像信号から所定のチャンネルに対応する搬送周波数を選局して中間周波信号に変換して出力するチューナと、ＩＦ−ＡＧＣ電圧に対応する増幅率で中間周波信号を必要な大きさに増幅して出力する中間周波増幅回路と、前記中間周波増幅回路の出力する中間周波信号から復号映像信号を取り出して出力する映像検波回路と、前記映像検波回路から複合映像信号を取得して該復号映像信号の同期信号の大きさに応じたＩＦ−ＡＧＣ電圧を生成する自動利得調整回路と、前記映像検波回路の出力した複合映像信号をさらに増幅するとともにＹ／Ｃ分離を行って輝度信号と搬送色信号を出力し且つ同期分離を行ってと同期信号を出力する映像信号処理回路と、カラーバースト信号の入力があれば該カラーバースト信号の周波数を利用して前記搬送色信号を色差信号に復調して出力する色復調回路と、前記輝度信号と前記色差信号とに基づいてマトリクス変換処理を行なって画像データとしてのＲＧＢ信号を生成するマトリクス回路と、前記ＲＧＢ信号に基づいて液晶モジュールを駆動して画像を表示させる液晶ドライバ回路と、前記チューナと前記中間周波増幅回路と前記映像検波回路と前記自動利得調整回路と前記映像信号処理回路と前記色復調回路と前記マトリクス回路と前記液晶ドライバ回路とを制御するマイコンとを備えており、
前記マイコンにて実行されるプログラムにて、前記スノーノイズ検出手段と前記輝度振幅低減手段とが実現された請求項６に記載のテレビ受信機。
【発明の詳細な説明】
【技術分野】
【０００１】
本発明は、テレビ受信機に関する。
【背景技術】
【０００２】
従来、所定の条件に従って輝度レベルを制御する技術として、ＩＦ−ＡＧＣ電圧のレベルに応じて輝度信号のレベルを抑圧する技術（例えば特許文献１参照）、ＡＧＣ回路の出力レベル差に基づいてビデオ信号の輝度を低減させ、表示画面に現れる白ノイズを低減させる技術（例えば特許文献２参照）、受信電界強度に応じて無段階的に輝度を低下させて受信状態が悪化するにつれて徐々に画面の色が薄くなるようにする技術（例えば特許文献３参照）、が知られている。
【特許文献１】特開平９−３２２０１９号公報
【特許文献２】特開２００５−２３６８１６号公報
【特許文献３】特開２００７−４３５０１号公報
【発明の開示】
【発明が解決しようとする課題】
【０００３】
しかしながら、特許文献１，３記載の技術のように、ＩＦ−ＡＧＣ電圧のレベルや受信状況に応じた輝度レベルの低下を行った場合、ユーザはどの程度のスノーノイズ状態であるかを確認しづらい。さらに、最終的に輝度レベルを真っ暗な状態にすると、故障との区別がつかず、ユーザの利便性を損なうことになる。また、特許文献２記載の技術はアンテナ切換動作時の受信レベル変動に起因する白い横筋のノイズを防ぐものであって、スノーノイズに対応するものではない。さらに、特許文献１〜３においては、ＥＭＩ（Electro-Magnetic Interference）については全く考慮されていない。
【０００４】
本発明は、前記課題に鑑みてなされたもので、スノーノイズ表示時に画面から放射される電磁波によるＥＭＩを低減しつつ、ユーザの利便性を損なうことの無いテレビ受信機の提供を目的とする。
【課題を解決するための手段】
【０００５】
前記課題を解決するために、本発明では、受信したテレビ放送信号から映像信号を抽出して所定の画面に映像表示させるテレビ受信機において、前記画面に表示される映像のスノーノイズを検出するスノーノイズ検出手段と、前記スノーノイズ検出手段がスノーノイズを検出すると、所定の半透明画像の表示を行ってスノーノイズを表示させつつ画面の輝度振幅を低減する輝度振幅低減手段と、を備える構成としてある。
【０００６】
前記構成において、前記半透明画像の表示とは、所定色の一様な色画像を、画面全体に重ね合わせることである。この半透明画像の表示は、実際に半透明画像を映像信号に重ね合わせることで実現しても良いし、各色信号や輝度信号の操作により輝度低下やコントラスト低下、さらにはぼかしフィルタ等の画像処理フィルタを組み合わせて実現されても良い。
【０００７】
また、本発明の他の態様として、前記スノーノイズ検出手段は、前記テレビ放送信号の入力が無い場合にスノーノイズを検出する構成にしても良い。該構成においては、テレビ放送信号の入力が有る場合はスノーノイズ状態ではないと判断する一方、テレビ放送信号の入力が無い場合にはスノーノイズ状態であると判断する。すなわちスノーノイズ状態であるか否かの判断において、テレビ放送信号の入力の有無を判断基準とするのである。
【０００８】
また、本発明の他の態様として、前記スノーノイズ検出手段は、前記テレビ放送信号の電界強度が所定のしきい値よりも低い場合にスノーノイズを検出する構成としてもよい。該構成においては、テレビ放送信号の電界強度が所定のしきい値よりも低い場合にスノーノイズ状態であると判断し、テレビ放送信号の電界強度が所定のしきい値よりも高い場合にスノーノイズ状態であると判断する。無論、電界強度が所定のしきい値よりも高いか低いかでテレビ放送信号の有無を判断することも可能である。すなわちスノーノイズ状態であるか否かの判断において、テレビ放送信号の電界強度を判断基準とするのである。
【０００９】
また、本発明の他の態様として、前記テレビ放送信号の受信強度に応じて利得調整する自動利得調整手段を備え、前記スノーノイズ検出手段は、前記受信強度が所定のしきい値を下回るとスノーノイズであると判断する構成としてもよい。該構成においては、テレビ放送信号の自動利得調整手段の受信強度が所定のしきい値よりも低い場合にスノーノイズ状態と判断し、テレビ放送信号の自動利得調整手段の受信強度が所定のしきい値よりも高い場合にスノーノイズ状態ではないと判断する。無論、自動利得調整手段の受信強度で、テレビ放送信号の入力の有無や、テレビ放送信号の電界強度を判断することも可能である。すなわちスノーノイズ状態であるか否かの判断において、自動利得調整手段の受信強度を判断基準とするのである。
【００１０】
また、本発明の他の態様として、所定の画像を前記映像信号に重畳するオンスクリーンディスプレイ手段を備え、前記輝度振幅低減手段は、前記オンスクリーンディスプレイ手段を制御して半透明の黒画像を前記映像信号に重畳させる構成としてもよい。すなわち、複雑な輝度調整やコントラスト調整などを必要とせず、通常のテレビ受信機であれば搭載済みのＯＳＤ表示機能を利用することで、本発明を容易に実現可能となる。
【００１１】
また、本発明の他の態様として、スノーノイズ検出時用の設定値が記憶される第一レジスタと、スノーノイズ非検出時用の設定値が記憶される第二レジスタとを備え、前記輝度振幅低減手段は、前記スノーノイズ検出手段がスノーノイズ検出すると前記第一レジスタから設定値を取得して該設定値に対応した輝度振幅の低減を実行すると共に、前記スノーノイズ検出手段がスノーノイズ非検出すると前記第二レジスタから設定値を取得して該設定値に対応した輝度振幅の低減を実行する構成としてもよい。すなわち、設定値が記憶されたレジスタを２種類用意しておき、スノーノイズ検出手段の判断に応じて何れのレジスタから設定値を読み出すかを切り換えて選択することになる。よって、各機体の特性に合わせた設定値を作成してレジスタに値を設定すれば、その他のプログラムの変更を行うことなく、最適な半透明画像を表示可能になる。つまり、本発明を、僅かな設計変更で、複数種類の機体に適用可能となる。
【００１２】
また、本発明の他の態様として、前記テレビ受信機は、アンテナを介して入力された映像信号から所定のチャンネルに対応する搬送周波数を選局して中間周波信号に変換して出力するチューナと、ＩＦ−ＡＧＣ電圧に対応する増幅率で中間周波信号を必要な必要な大きさに増幅して出力する中間周波増幅回路と、前記中間周波増幅回路の出力する中間周波信号から復号映像信号を取り出して出力する映像検波回路と、前記映像検波回路から複合映像信号を取得して該復号映像信号の同期信号の大きさに応じたＩＦ−ＡＧＣ電圧を生成する自動利得調整回路と、前記映像検波回路の出力した複合映像信号をさらに増幅するとともにＹ／Ｃ分離を行って輝度信号と搬送色信号を出力し且つ同期分離を行ってと同期信号を出力する映像信号処理回路と、カラーバースト信号の入力があれば該カラーバースト信号の周波数を利用して前記搬送色信号を色差信号に復調して出力する色復調回路と、前記輝度信号と前記色差信号とに基づいてマトリクス変換処理を行なって画像データとしてのＲＧＢ信号を生成するマトリクス回路と、前記ＲＧＢ信号に基づいて液晶モジュールを駆動して画像を表示させる液晶ドライバ回路と、前記チューナと前記中間周波増幅回路と前記映像検波回路と前記自動利得調整回路と前記映像信号処理回路と前記色復調回路と前記マトリクス回路と前記液晶ドライバ回路とを制御するマイコンとを備えており、前記マイコンにて実行されるプログラムにて、前記スノーノイズ検出手段と前記輝度振幅低減手段とが実現される構成としてもよい。
【発明の効果】
【００１３】
以上説明したように本発明によれば、ユーザにスノーノイズ状態であることを視認可能にて利便性を損なうことの無く、スノーノイズ表示時に画面から放射される電磁波によるＥＭＩを低減可能なテレビ受信機を提供することができる。
また請求項２〜４にかかる発明によれば、スノーノイズ状態の判断を具体的な基準で容易に行うことができる。
また請求項５にかかる発明によれば、輝度振幅の低減を容易に実現可能となる。
そして請求項６にかかる発明によれば、僅かな設計変更で、複数種類の機体に適用可能となる。
さらに請求項７のような、より具体的な構成において、前述した請求項１〜請求項６の各発明と同様の作用を奏することはいうまでもない。
【発明を実施するための最良の形態】
【００１４】
以下、下記の順序に従って本発明の実施形態を説明する。
（１）テレビ受信機の構成： 
（２）スノーノイズによるＥＭＩについて：
（３）ＥＭＩを低減するマイコンの処理：
（４）まとめ：
【００１５】
（１）テレビ受信機の構成： 
以下、図１〜図４を参照しつつ、本発明のテレビ受信機について説明する。図１は、本発明の実施形態におけるテレビジョンの構成を示すブロック図である。また、本実施形態では表示器として液晶パネルを供えた液晶テレビを例にとって説明を行うが、むろん、ブラウン管テレビやプラズマテレビであってもよいし、チューナを備えさえすれば自機内には表示器を備えなくともよく、例えば、ＨＤＤレコーダやＤＶＤレコーダ等の録画／再生機器などであっても本発明を適用可能である。なお、図１においては図の簡略化のため映像信号の処理系統のみを示してある。
【００１６】
図１において、テレビ受信機１００は、チューナ１０と中間周波増幅回路１１と映像検波回路１２と映像信号処理回路１３と液晶ドライバ回路１４と液晶モジュール１５とＡＧＣ回路１６とマイコン１７とから構成されている。テレビ受信機１００にはアンテナ端子を介してアンテナ１０ａが接続されており、アンテナ１０ａで受信したテレビ電波がチューナ１０に入力される。
【００１７】
チューナ１０は、例えば、ＰＬＬシンセサイザ方式の選局方式が採用可能であり、固定分周器や可変分周器の分周比を選択することによって受信可能な周波数を制御することができる。この周波数制御はマイコン１７の制御に従って行われる。マイコン１７の制御に従ってチューナ１０はチャンネルに対応する搬送周波数を選局し、受信した周波信号を高周波増幅するとともにヘテロダイン検波によって中間周波信号に変換する。この高周波増幅においては、後述のＡＧＣ回路１６の出力するＲＦ−ＡＧＣ電圧に対応して増幅率が決定される。
【００１８】
中間周波増幅回路１１は、中間周波信号を必要な大きさに増幅する。この中間周波増幅においては、後述のＡＧＣ回路１６から出力されるＩＦ−ＡＧＣ電圧に対応して増幅率が決定される。
【００１９】
映像検波回路１２は、変調された信号（搬送波信号＋被搬送波信号）から被搬送波信号を取り出す。すなわち、中間周波信号から復号映像信号（輝度信号＋搬送波抑圧直角二相変調された搬送色信号＋同期信号）を取り出す。
【００２０】
ＡＧＣ回路１６は映像検波回路１２から出力された複合映像信号（映像検波出力）を取得し、映像検波出力の同期信号の大きさ（受信強度）に応じたＲＦ−ＡＧＣ電圧およびＩＦ−ＡＧＣ電圧を生成する。一般に、放送電波の電界強度が強い（強電入力）場合はＩＦ−ＡＧＣ電圧は高くなり、放送電波の電界強度が弱い（弱電入力）場合はＩＦ−ＡＧＣ電圧は低くなる。このＡＧＣ回路１６には、同期信号の大きさに比例したＡＧＣ電圧を出力するもの（例えば先頭値形ＡＧＣと呼ばれる回路）、電波がある程度大きくなった時点から電圧を発生させるもの（例えば、キード形ＡＧＣと呼ばれる回路）、等がある。無論、電圧の強弱を反転させれば、電波の強弱に対して負の相関を持つＩＦ−ＡＧＣ電圧も可能である。このＡＧＣ回路１６が自動利得調整手段を構成する。
【００２１】
ＲＦ−ＡＧＣ電圧はチューナ１０に入力され、チューナ１０はＲＦ−ＡＧＣ電圧が高いほど増幅率を低下させる自動利得調整を行う。同様にＩＦ−ＡＧＣ電圧は中間周波増幅回路１１に入力され、中間周波増幅回路１１もＩＦ−ＡＧＣ電圧が高いほど増幅率を低下させる自動利得調整が行われる。このチューナ１０と中間周波増幅回路１１で行われる増幅により、映像信号処理回路１３に入力される映像信号強度は、同期信号の大きさで規格化された理想的な値に調整されることになる。ちなみに、これらチューナ１０や中間周波増幅回路１１はフォワード型で記載してあるが、無論、リバース型であっても本発明は実現可能である。
【００２２】
映像信号処理回路１３では、複合映像信号をさらに増幅し、Ｙ／Ｃ分離回路１３ａにてＹ／Ｃ分離を行って輝度信号（Ｙ）をマトリクス回路１３ｃに、搬送色信号（Ｃ）を色復調回路１３ｂにそれぞれ出力し、さらに同期分離によって得られる同期信号をマイコン１７に出力する。
【００２３】
分離された搬送色信号は、色復調回路１３ｂにおいてＲ‐Ｙ及びＢ‐Ｙの色差信号に復調された後、マトリクス回路１３ｃに出力される。マトリクス回路１３ｃにおいては、入力された輝度信号と色差信号とに基づいてマトリクス変換処理を行い、画像データとしてのＲＧＢ信号を生成する。なお、色復調回路１３ｂは、マイコン１７からカラーバースト信号の入力があればこのカラーバースト信号の周波数（色副搬送波周波数）を利用して色差信号を復調する。
【００２４】
液晶ドライバ回路１４は、画素数変換回路と、画質調整回路と、出力処理回路と、フレームメモリとを有している。画素数変換回路は、マトリクス回路１３ｃから入力されたＲＧＢ信号に対してスケーリング処理を行って、液晶パネル１５ａに表示される１画面分のＲＧＢ信号を生成する。そして、１画面分のＲＧＢ信号を画素情報としてフレームメモリに格納する。画質調整回路は、画素数変換回路によってフレームメモリに格納されたＲＧＢ信号に対して、ブライトネス、コントラスト、黒バランスおよび白バランスの調整を行う。出力処理回路は、画質調整回路によって画質調整が施されたＲＧＢ信号に対して、ガンマ補正、ディザ処理等を行うとともに、背景信号、ＯＳＤ信号、ブランキング信号等を付加して液晶パネル１５ａに出力し、画像を表示させる。
【００２５】
液晶モジュール１５は、液晶パネル１５ａと、液晶パネル１５ａを背面から照射するバックライト１５ｂと、入力された電源電圧から生成した所定の電圧をバックライト１５ｂに供給して点灯させるインバータ１５ｃとから構成される。ちなみにバックライト１５ｂが放電灯で構成される場合は、インバータ１５ｃは入力された電源電圧を交流電圧に変換した上でバックライト１５ｂに供給することになる。
【００２６】
マイコン１７はＣＰＵ１７ａとＲＡＭ１７ｂとＲＯＭ１７ｃと第一レジスタ１７ｄ（第一記憶媒体）と第二レジスタ１７ｅ（第二記憶媒体）とから構成される。第一レジスタにはスノーノイズ状態で無い時の設定値（通常時設定値）、第二レジスタにはスノーノイズ状態の時の設定値（スノーノイズ時設定値）、がそれぞれ記憶されている。マイコン１７は、テレビ受信機１００の各部と電気的に接続されており、各部を有機的に制御することによりテレビ受信機として動作させている。
【００２７】
ＣＰＵ１７ａは、ＲＯＭ１７ｃからプログラムデータを読み出してＲＡＭ１７ｂ上に展開することにより、ＥＭＩ低減プログラムＰを実行する。ＥＭＩ低減プログラムＰは、複数のモジュール（スノーノイズ検出部Ｍ１、輝度振幅低減部Ｍ２）によって構成される。これらのモジュールＭ１，Ｍ２が実行されることにより本発明の各手段が具体的に実現される。以下、各モジュールについて説明する。
【００２８】
スノーノイズ検出部Ｍ１は、ＡＧＣ回路１６の出力するＩＦ−ＡＧＣ電圧に基づいて、アンテナ１０ａに入力されている放送電波の電界強度を判定する。マイコン１７にはＡＧＣ回路１６からＩＦ−ＡＧＣ電圧が入力されており、スノーノイズ検出部Ｍ１はＩＦ−ＡＧＣ電圧を取得して所定のしきい値でＩＦ−ＡＧＣ電圧の大小を判定する。この判定の結果、所定のしきい値より電圧が高い場合は強電入力（通常電界）と判定し、所定のしきい値よりも電圧が低い場合は弱電入力（弱電界）と判定する。但し、ビデオ入力等の外部入力も所定のしきい値より高いＩＦ−ＡＧＣ電圧となり、通常電界と判断されることになる。この判定結果は輝度振幅低減部Ｍ２に通知される。
【００２９】
輝度振幅低減部Ｍ２は、第一レジスタもしくは第二レジスタの設定値に従って、画面の輝度を全体的に低下させたり、画面のコントラストを低下させたりした上で、画面全体にモノトーンの画像を重畳して画像のざらつきを抑える。より具体的には、半透明な黒画像のＯＳＤ（On Screen Display）表示を行わせ、輝度振幅の低減を行う。ここで、輝度振幅低減部Ｍ２で表示する半透明画像としては黒画像に限るものではなく、例えば、半透明な白、赤、緑、青等の有色の画像であってもよい。具体的には、ＲＯＭ１７ｃには予め半透明な黒画像のデータが記憶されており、輝度振幅低減部Ｍ２はこのデータを液晶ドライバ回路１４の出力処理回路に出力してＯＳＤ表示を行わせることになる。この輝度振幅低減部は液晶ドライバ回路１４を制御してオンスクリーンディスプレイ表示を行わせるオンスクリーンディスプレイ手段も構成する。
【００３０】
（２）スノーノイズによるＥＭＩについて： 
以下、図２，３を参照して、スノーノイズ表示時のＥＭＩ（Electro-Magnetic Interference）について説明する。図２はスノーノイズ無しの画面から放射される電磁波の実測値のグラフ、図３はスノーノイズ有りの画面から放射される電磁波の実測値のグラフ、である。なお、両図には、参考の為にＦＣＣ（Federal Communications Commission）Ｐａｒｔ．１５Ｓｕｂｐａｒｔ．Ｂで要求されている限度値も記入してある。
【００３１】
ここで本発明においてＥＭＩ対策を行いたいスノーノイズとは、地上アナログテレビ放送を受信する際のノイズの一種で、本発明におけるスノーノイズとは、受信する信号レベルが低下したときに発生するものであり、受信レベルの低下により同期の乱れや画面がざらざらだけになり何も受信できていない砂嵐状態を指す。但し、受信レベル低下の原因は限定されるものではなく、
・アンテナの向きのずれ
・アンテナケーブルやコネクターの不良
・受信チャンネルの周波数微調整がうまく出来ていない
・送信所との距離が遠過ぎる
・電波の妨げになるようなものや近くの周波数の電波による干渉（感度抑圧）
・屋外の天候不良
等、いかなる原因であってもよい。要は、テレビ受信機に入力されるテレビ放送信号の電界強度が低下（弱電入力）した際に発生するスノーノイズ全般を指すものである。
【００３２】
スノーノイズ有りの画像は白黒の細かい映像であり、画面を構成する各画素が短い周期で絶えず白黒反転する。従って、非常に高振幅レベルで高周波の電磁波（ノイズ）が放射されることになる。図２，３を比較する。まず、図２のスノーノイズ無しの画面では、ＦＣＣ限度値に近接するピークは、８８〜２１６ＭＨｚであれば約３５ｄＢμＶ／ｍのピークが１つと、２１６〜９６０ＭＨｚであれば約４８ｄＢμＶ／ｍのピークが１つ、測定される程度であり、全般にＥＭＩの基準を満たしているといえる。
【００３３】
一方、図３のスノーノイズ有りの画面では、図２と比べると、１００〜２００ＭＨｚの電磁波放射が大きくなっていることが分かる。この周波数帯（８８〜２１６ＭＨｚ）のＦＣＣ限度値は４３．５ｄＢμＶ／ｍであるが、少なくとも４つのピークが３８ｄＢμＶ／ｍ以上であり、ピークの１つは４０ｄＢμＶ／ｍを超えていることが分かる。ＦＣＣ限度値の範囲内に収まってはいるものの、好ましい状態とは言えない。そこで、以下のように、テレビ放送信号の入力の有無やテレビ放送信号の電界強度の判定によりスノーノイズを検出し、スノーノイズを検出すると画面から放射されるＥＭＩを低減するための処理を実行する。
【００３４】
（３）ＥＭＩを低減するマイコンの処理： 
図４は、ＥＭＩ低減プログラムの処理の流れを示したフローチャートである。図４の処理は、テレビ受信機の電源が投入されている間は、常に実行されている。
【００３５】
電源が投入されて処理が開始されると、ステップＳ１０で通常電界強度に対応する設定値を取得する。すなわち、第一レジスタから、デフォルトの設定として『半透明の黒画像のＯＳＤ表示無し』の通常時設定値を取得する。弱電入力にならない限りこのステップＳ１０で取得されたデフォルトの設定が使用され続ける。マイコン１７はステップＳ１０で設定値を取得すると半透明の黒画像のＯＳＤ信号の出力を行わないので、液晶ドライバ回路１４も半透明の黒画像を映像信号に重畳しない。無論、マイコン１７は本処理以外にも処理を実行しており、他の処理においては適宜ＯＳＤ信号の出力が行われる。
【００３６】
続くステップＳ２０では、スノーノイズの有無を判定するための情報としてＩＦ−ＡＧＣ電圧を取得する。ＩＦ−ＡＧＣ電圧は、電界強度（受信状況、電波状況）を示すものでもあり、テレビ放送信号の入力の有無を示す情報でもある。
【００３７】
続くステップＳ３０では、スノーノイズの有無を判断する。すなわち、ステップＳ２０で取得したＩＦ−ＡＧＣ電圧が所定のしきい値（例えばＳ／Ｎ比が３０ｄＢ）よりも高いか否かを判断する。所定のしきい値以下場合は弱電入力と判断（条件成立）してステップＳ４０に進み、一方、所定のしきい値を超える場合は強電入力（通常電界）と判断（条件不成立）してステップＳ２０からの処理を繰り返す。なお、この電界強度の判定においては、ＶＨＳやＤＶＤ等の記録媒体を映像ソースとする映像信号も強電入力（通常電界）と判断される。
【００３８】
続くステップＳ４０では、弱電入力に対応する設定値を取得する。すなわち、第二レジスタから、『半透明の黒画像のＯＳＤ表示有り』のスノーノイズ時設定値を取得する。マイコン１７はステップＳ４０で設定値を取得すると半透明の黒画像のＯＳＤ信号の出力を行うので、液晶ドライバ回路１４が半透明の黒画像を映像信号に重畳することになる。半透明の黒画像が映像信号に重畳されると、輝度が低下するとともにコントラストが低下し且つ、全体的に画像がぼかしフィルタをかけた状態となる。すなわち各画素の白黒反転の変化幅を低減しつつもスノーノイズそのものは表示した状態にする。よってテレビ受信機１００の画面から放射されるＥＭＩが低減される。
【００３９】
続くステップＳ５０では、ステップＳ２０と同じく、スノーノイズの有無を判定するための情報としてＩＦ−ＡＧＣ電圧を取得する。スノーノイズ状態が改善されていないかを判定するためである。
【００４０】
続くステップＳ６０では、スノーノイズの有無を判断する。すなわちステップＳ５０で取得したＩＦ−ＡＧＣ電圧が所定のしきい値より高いか否かを判断する。所定のしきい値よりも高い場合はスノーノイズ状態が改善されたと判断（条件成立）してステップＳ１０に戻り、通常電界強度に対応する設定値の取得を行う。一方、所定のしきい値よりも低い場合はスノーノイズ状態は改善されていないと判断（条件不成立）しステップＳ５０からの処理を繰り返す。すなわち条件不成立の場合、マイコン１７は弱電入力に対応する設定値に基づく処理を繰り返すことになる。
【００４１】
（４）まとめ： 
以上をまとめると、受信したテレビ放送信号から映像信号を抽出して所定の画面に映像表示させるテレビ受信機において、マイコン１７は、画面に表示される映像にスノーノイズが含まれているか否かを検出し、スノーノイズを検出しない場合はそのまま映像表示を行わせ、スノーノイズを検出すると所定の半透明画像の表示を行ってスノーノイズを表示させつつ画面の輝度振幅を低減することにより、スノーノイズ表示時に画面から放射される電磁波によるＥＭＩを低減しつつ、ユーザの利便性を損なうことの無いテレビ受信機を提供できることになる。
【００４２】
ところで、前述した実施形態は、以下の変形例も可能である。
・前述の実施形態においてはスノーノイズ検出部Ｍ１はＡＧＣ回路１６の出力するＩＦ−ＡＧＣ電圧に基づいてスノーノイズの有無を検出する構成としてあるが、スノーノイズの検出はこの構成に限るものではない。例えば、（ａ）映像信号処理部にて生成されたＲＧＢ信号を所定の基準レベルと比較したり、（ｂ）同期信号の入力の有無の判断とＹ／Ｃ分離の可／不可とを組み合わせたり、することによってもスノーノイズの検出が可能である。（ａ）の場合であれば、ＲＧＢ信号の少なくとも１色を所定の基準レベルと比較して、基準レベルを超えた場合にスノーノイズであると判断する。（ｂ）の場合であれば、同期信号の有無を判断し、同期信号有りであれば更にＹ／Ｃ分離の可／不可を判断する。すなわち同期信号が無く且つ、Ｙ／Ｃ分離不可能な場合がスノーノイズとなる。
【００４３】
・前述した実施形態では、半透明の黒画像を表示する構成としたが、無論、輝度低下やコントラストの低下、ぼかしフィルタを適宜組み合わせて適用することにより各画素の輝度振幅を抑制し、ＥＭＩを低減させても構わない。その際、マイコン１７は輝度、コントラスト、ぼかしフィルタ等の画質調整処理を、映像信号処理回路１３に、適宜、指示することになる。
【００４４】
・前述した実施形態では、ＩＦ−ＡＧＣ電圧に基づいてスノーノイズ状態であるか否かを判断したが、無論、ＲＦ−ＡＧＣ電圧に基づいて判断したり、ＩＦ−ＡＧＣ電圧とＲＦ−ＡＧＣ電圧とを組み合わせて判断したりする構成も可能である。
【００４５】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【図面の簡単な説明】
【００４６】
【図１】本実施形態にかかるテレビ受信機のブロック構成図である。
【図２】スノーノイズ無しの画面から放射される電磁波の実測値のグラフである。
【図３】スノーノイズ有りの画面から放射される電磁波の実測値のグラフである。
【図４】ＥＭＩ低減プログラムの処理の流れを示したフローチャートである。
【符号の説明】
【００４７】
１０…チューナ、１０ａ…アンテナ、１１…中間周波増幅回路、１２…映像検波回路、１３…映像信号処理回路、１３ａ…Ｙ／Ｃ分離回路、１３ｂ…色復調回路、１３ｃ…マトリクス回路、１４…液晶ドライバ回路、１５…液晶モジュール、１５ａ…液晶パネル、１５ｂ…バックライト、１５ｃ…インバータ、１６…ＡＧＣ回路、１７…マイコン、１７ａ…ＣＰＵ、１７ｂ…ＲＡＭ、１７ｃ…ＲＯＭ、１７ｄ…第一レジスタ、１７ｅ…第二レジスタ、１７ｆ…ＯＳＤ回路、１００…テレビ受信機、Ｍ１…スノーノイズ検出部、Ｍ２…輝度振幅低減部、Ｐ…ＥＭＩ低減プログラム
【図１】
2008294555.tif 000003
【図２】
2008294555.tif 000004
【図３】
2008294555.tif 000005
【図４】
2008294555.tif 000006